(57)【要約】【課題】ベビーキャリアを提供する。【解決手段】ベビーキャリアを提供する。開示されたベビーキャリアは、本体部と、本体部の上部両側に連結される一対の肩バンドと、本体部の下部に連結される腰バンドと、腰バンドに結合され、荷重の作用方向を切り換えるように、第１姿勢及び第２姿勢のうち何れか１つに変更される荷重調節ユニットと、を含み、荷重調節ユニットが、第１姿勢及び第２姿勢のうち何れか１つの姿勢から残りの姿勢に変更されることによって、肩バンドと腰バンドとに作用する荷重の比率が変更されることを特徴とする。【選択図】図１
2019111171.tif 000002
【特許請求の範囲】
【請求項１】
本体部と、
前記本体部の上部両側に連結される一対の肩バンドと、
前記本体部の下部に連結される腰バンドと、
前記腰バンドに結合され、荷重の作用方向を切り換えるように、第１姿勢及び第２姿勢のうち何れか１つに変更される荷重調節ユニットと、を含み、
前記荷重調節ユニットが、前記第１姿勢及び前記第２姿勢のうち何れか１つの姿勢から残りの姿勢に変更されることによって、前記肩バンドと前記腰バンドとに作用する荷重の比率が変更されるベビーキャリア。
【請求項２】
前記荷重調節ユニットは、前記第１姿勢で前記肩バンドと前記腰バンドとの連結部分に加えられる荷重を受けず、前記第２姿勢で前記荷重を受けて、前記肩バンドに加えられる荷重の一部を前記腰バンドに分散させる請求項１に記載のベビーキャリア。
【請求項３】
前記荷重調節ユニットは、
前記腰バンドに分離可能に結合されるベースと、
前記ベースにヒンジ連結され、前記ベースに折り畳まれる第１姿勢と前記ベースと一定の角度を保持するように開かれる第２姿勢とで回転するヒップシートと、
前記第１姿勢及び前記第２姿勢のうち何れか１つの姿勢で前記ヒップシートの位置を保持する姿勢保持部と、
を含む請求項２に記載のベビーキャリア。
【請求項４】
前記姿勢保持部は、
前記ベース及び前記ヒップシートのうち何れか１つに弾力的に移動可能に配されるロッキングシャフトと、
前記ベース及び前記ヒップシートのうち残りの１つに形成され、前記ロッキングシャフトが固定可能に結合されるロッキング溝と、
を含む請求項３に記載のベビーキャリア。
【請求項５】
前記ロッキング溝は、前記ロッキングシャフトが選択的に挿入される第ｌ溝及び第２溝を含み、
前記ロッキングシャフトが、第１溝に挿入される時、前記第１姿勢を保持し、前記第２溝に挿入される時、前記第２姿勢を保持する請求項４に記載のベビーキャリア。
【請求項６】
前記第１溝は、前記ヒップシートの回動方向に沿って円弧状に形成された請求項５に記載のベビーキャリア。
【請求項７】
前記第１溝は、前記第２溝から遠ざかるほど、前記第１溝の深さが深くなる方向に傾いたカム面が形成された請求項６に記載のベビーキャリア。
【請求項８】
前記姿勢保持部は、
前記ヒップシートに弾力的に移動可能に配されるロッキングシャフトと、
前記ベースに形成され、前記ロッキングシャフトが固定可能に結合されるロッキング溝と、を含み、
前記ロッキングシャフトは、前記ヒップシートの内側または外側に配される請求項３に記載のベビーキャリア。
【請求項９】
姿勢保持部は、一端がヒップシートにヒンジ連結され、前記第２姿勢でベースに対して前記ヒップシートを開かれた状態に保持する請求項２に記載のベビーキャリア。
【請求項１０】
前記姿勢保持部は、他端が前記第１姿勢で前記ヒップシートに分離可能に固定され、前記第２姿勢で前記ベースに据え置きされる請求項９に記載のベビーキャリア。
【請求項１１】
前記姿勢保持部は、
前記ベース及び前記ヒップシートのうち何れか１つに配される第１スナップ結合部材と、
前記ベース及び前記ヒップシートのうち残りの１つに配される第２スナップ結合部材と、をさらに含み、
前記第１及び第２スナップ結合部材は、前記第２姿勢で互いにスナップ結合される請求項１０に記載のベビーキャリア。
【請求項１２】
前記第１及び第２スナップ結合部材は、前記ベースと前記ヒップシートとがヒンジ連結される部分に配される請求項１１に記載のベビーキャリア。
【請求項１３】
前記姿勢保持部は、
一端が前記ベースとヒンジ連結される第１リンクと、
一端が前記ヒップシートにヒンジ連結され、他端が前記第１リンクの一部にヒンジ連結される第２リンクと、
を含む請求項１１に記載のベビーキャリア。
【請求項１４】
前記第１リンク及び前記第２リンクは、前記第２姿勢で互いにスナップ結合される請求項１３に記載のベビーキャリア。
【請求項１５】
前記第１及び第２リンクのうち何れか１つに突起が形成され、
前記第１及び第２リンクのうち残りの１つに前記突起がスナップ結合される溝が形成される請求項１４に記載のベビーキャリア。
【請求項１６】
支持部は、
一端が前記ヒップシートとヒンジ連結され、他端が前記第２リンクに摺動自在に結合した第３リンクをさらに含む請求項１３に記載のベビーキャリア。
【請求項１７】
前記第３リンクは、前記第２姿勢で前記第２リンクとトラス構造で配される請求項１６に記載のベビーキャリア。
【請求項１８】
前記第３リンクは、前記第１姿勢で前記第２リンクと重畳され、前記第２リンクは、前記第１リンクと重畳される請求項１６に記載のベビーキャリア。
【請求項１９】
前記ヒップシートは、前記第２リンクとヒンジ連結されるヒンジ部を含み、
前記ベースは、前記ヒンジ部が前記第１姿勢で分離可能に固定される固定溝を含む請求項１３に記載のベビーキャリア。
【請求項２０】
前記ヒップシートは、両側が傾斜して形成された構造を有した請求項３に記載のベビーキャリア。
【発明の詳細な説明】
【技術分野】
【０００１】
本発明は、ベビーキャリアに係り、より詳細には、肩バンドと腰バンドとに転嫁される荷重の比率を調節することができるベビーキャリアに関する。
【背景技術】
【０００２】
一般的に、赤ちゃんを背に負うか、胸に抱くことができる抱っこ紐は、赤ちゃんを座らせれば、垂直方向に荷重が加えられて、ユーザの肩に荷重が集中する。これにより、ユーザの肩に負担となる問題がある。
【０００３】
最近、赤ちゃんの体重がユーザの腰及び骨盤に分散されるように赤ちゃんを抱くことができるヒップシートが使われている。しかし、このようなヒップシートは、赤ちゃんの体重がほとんどユーザの腰に集中して、ユーザの腰に負担となる問題がある。
【０００４】
このような従来の抱っこ紐とヒップシートは、特定の身体部分に赤ちゃんの体重が集中して、長時間着用時にユーザが痛みを感じる。
【０００５】
一方、抱っこ紐とヒップシートとを結合した構造の場合、抱っこ紐モードとして使用する中にヒップシートモードに切り換えるためには、抱っこ紐の着用を解除し、抱いていた赤ちゃんを下ろした状態でヒップシートを結合しなければならない。逆に、ヒップシートモードとして使用しながら抱っこ紐モードに切り換える場合にも、ヒップシートに座っている赤ちゃんを下ろしてベルト着用を解除した後、ヒップシートを分離しなければならない。このように、抱っこ紐とヒップシートとの間のモード転換が煩わしく、モード変換時には、赤ちゃんを下ろさなければならないので、迅速なモード転換が難しいために、使用が不便である問題があった。
【発明の概要】
【発明が解決しようとする課題】
【０００６】
本発明は、前記問題点を解決するために、荷重調節ユニットの簡単な操作によって荷重の作用方向を迅速に切り換えて、肩バンドと腰バンドとに作用する荷重の比率を変更することができるベビーキャリアを提供するところにその目的がある。
【課題を解決するための手段】
【０００７】
前記問題点を解消するために、本発明は、本体部と、前記本体部の上部両側に連結される一対の肩バンドと、前記本体部の下部に連結される腰バンドと、前記腰バンドに結合され、荷重の作用方向を切り換えるように、第１姿勢及び第２姿勢のうち何れか１つに変更される荷重調節ユニットと、を含み、前記荷重調節ユニットが、前記第１姿勢及び前記第２姿勢のうち何れか１つの姿勢から残りの姿勢に変更されることによって、前記肩バンドと前記腰バンドとに作用する荷重の比率が変更されるベビーキャリアを提供するところにその目的がある。
【０００８】
前記荷重調節ユニットは、前記第１姿勢で前記肩バンドと前記腰バンドとの連結部分に加えられる荷重を受けず、前記第２姿勢で前記荷重を受けて、前記肩バンドに加えられる荷重の一部を前記腰バンドに分散させることができる。
【０００９】
前記荷重調節ユニットは、前記腰バンドに分離可能に結合されるベースと、前記ベースにヒンジ連結され、前記ベースに折り畳まれる第１姿勢と前記ベースと一定の角度を保持するように開かれる第２姿勢とで回転するヒップシート（ｈｉｐ  ｓｅａｔ）と、前記第１姿勢及び前記第２姿勢のうち何れか１つの姿勢で前記ヒップシートの位置を保持する姿勢保持部と、を含みうる。
【００１０】
前記姿勢保持部は、前記ベース及び前記ヒップシートのうち何れか１つに弾力的に移動可能に配されるロッキングシャフトと、前記ベース及び前記ヒップシートのうち残りの１つに形成され、前記ロッキングシャフトが固定可能に結合されるロッキング溝と、を含みうる。
【００１１】
前記ロッキング溝は、前記ロッキングシャフトが選択的に挿入される第ｌ溝及び第２溝を含み、前記ロッキングシャフトが、前記第１溝に挿入される時、前記第１姿勢を保持し、前記第２溝に挿入される時、前記第２姿勢を保持することができる。
【００１２】
前記第１溝は、前記ヒップシートの回動方向に沿って円弧状に形成されうる。
【００１３】
前記第１溝は、前記第２溝から遠ざかるほど、前記第１溝の深さが深くなる方向に傾いたカム面（ｃａｍ  ｓｕｒｆａｃｅ）が形成されうる。
【００１４】
前記姿勢保持部は、前記ヒップシートに弾力的に移動可能に配されるロッキングシャフトと、前記ベースに形成され、前記ロッキングシャフトが固定可能に結合されるロッキング溝と、を含み、前記ロッキングシャフトは、前記ヒップシートの内側または外側に配置される。
【００１５】
前記姿勢保持部は、一端が前記ヒップシートにヒンジ連結され、前記第２姿勢で前記ベースに対して前記ヒップシートを開かれた状態に保持することができる。
【００１６】
前記姿勢保持部は、他端が前記第１姿勢で前記ヒップシートに分離可能に固定され、前記第２姿勢で前記ベースに据え置きされる。
【００１７】
前記姿勢保持部は、前記ベース及び前記ヒップシートのうち何れか１つに配される第１スナップ結合部材と、前記ベース及び前記ヒップシートのうち残りの１つに配される第２スナップ結合部材と、をさらに含み、前記第１及び第２スナップ結合部材は、前記第２姿勢で互いにスナップ結合されうる。
【００１８】
前記第ｌ及び第２スナップ結合部材は、前記ベースと前記ヒップシートとがヒンジ連結される部分に配置される。
【００１９】
前記姿勢保持部は、一端が前記ベースとヒンジ連結される第１リンクと、一端が前記ヒップシートにヒンジ連結され、他端が前記第１リンクの一部にヒンジ連結される第２リンクと、を含みうる。
【００２０】
前記第１リンク及び前記第２リンクは、前記第２姿勢で互いにスナップ結合されうる。
【００２１】
前記第ｌ及び第２リンクのうち何れか１つに突起が形成され、前記第１及び第２リンクのうち残りの１つに前記突起がスナップ結合される溝が形成されうる。
【００２２】
前記支持部は、一端が前記ヒップシートとヒンジ連結され、他端が前記第２リンクに摺動自在に結合した第３リンクをさらに含みうる。
【００２３】
前記第３リンクは、前記第２姿勢で前記第２リンクとトラス構造で配置される。
【００２４】
前記第３リンクは、前記第１姿勢で前記第２リンクと重畳され、前記第２リンクは、前記第１リンクと重畳されうる。
【００２５】
前記ヒップシートは、前記第２リンクとヒンジ連結されるヒンジ部を含み、前記ベースは、前記ヒンジ部が前記第１姿勢で分離可能に固定される固定溝を含みうる。
【００２６】
前記ヒップシートは、両側が傾斜して形成された構造を有しうる。
【００２７】
前記腰バンドは、突設された結合突起を含み、前記荷重調節ユニットは、前記結合突起と分離可能に結合される取付孔を含みうる。
【００２８】
前記肩バンドは、長さ調節のための引っ張り取っ手が付着されうる。
【００２９】
前記本体部及び前記肩バンドに形成されたレールに沿って摺動する頭台をさらに含みうる。
【００３０】
赤ちゃんが着用したオムツの状態をセンシングするオムツ状態センシングユニットと、前記センシングユニットから伝送された信号によって、前記オムツの状態を判断するプロセッサと、前記プロセッサで処理されたオムツの状態情報を外部装置に伝送するための通信部と、を有するセンシング部をさらに含みうる。
【００３１】
前記センシング部は、前記本体部に配置される。
【００３２】
前記センシング部は、赤ちゃんの体重を測定する体重センシングユニットをさらに含み、前記体重センシングユニットは、赤ちゃんが座ることができるように、前記本体部の内側面に配されたエアチューブと、前記エアチューブに赤ちゃんの体重が載せられる時、前記エアチューブ内の圧力変化をセンシングする圧力センサーと、を含みうる。
【００３３】
前記センシング部は、抱っこ紐の傾きを測定するセンサーをさらに含みうる。
【００３４】
前記腰バンドと結合し、前記ベースの下端を支持する分散板をさらに含み、前記分散板は、前記ベースから転嫁される荷重を分散させることができる。
【００３５】
本発明は、本体部と、肩バンドと、前記本体部の下部に連結される腰バンドと、前記腰バンドに分離可能に結合されるベースと、前記ベースにヒンジ連結され、前記ベースに折り畳まれる第１姿勢と前記ベースと一定の角度を保持するように開かれる第２姿勢とで回転するヒップシートと、前記ベースに弾力的に移動可能に配されるロッキングシャフトと、前記第１姿勢及び前記第２姿勢のうち何れか１つの姿勢で前記ヒップシートの位置を保持する姿勢保持部と、を含み、前記姿勢保持部は、前記ベースに弾力的に移動可能に配されるロッキングシャフトと、前記第２姿勢でロッキングシャフトが固定される第１ロッキング溝と、前記ヒップシートの回転軌跡に対応する円弧状に形成され、前記第ｌロッキング溝から遠ざかるほど深さが深くなる方向に傾いたカム面が形成された第２ロッキング溝と、を含むベビーキャリアを提供するところにその目的がある。
【図面の簡単な説明】
【００３６】
【図１】本発明の一実施形態によるベビーキャリアを示す斜視図である。
【図２Ａ】荷重調節ユニットのヒップシートが第１姿勢に位置した状態を示す図ｌのベビーキャリアを示す側面図である。
【図２Ｂ】荷重調節ユニットのヒップシートが第２姿勢に位置した状態を示す図１のベビーキャリアを示す側面図である。
【図３Ａ】図ｌに示された荷重調節ユニットと腰バンドとを示す分解斜視図である。
【図３Ｂ】図３Ａに示された荷重調節ユニットと腰バンドとの結合斜視図である。
【図４】図３Ｂに表示されたＢ−Ｂ線に沿って示す断面図である。
【図５】荷重調節ユニットのヒップシートを示す斜視図である。
【図６】ロッキング構造によって第２姿勢を保持する荷重調節ユニットを示す正面図である。
【図７Ａ】ロッキング構造によって第１姿勢を保持する荷重調節ユニットを示す正面図である。
【図７Ｂ】図７Ａに表示されたＤ−Ｄ線に沿って示す断面図である。
【図７Ｃ】図６に表示されたＣ−Ｃ線に沿って示す断面図である。
【図８】他のロッキング構造によって第２姿勢を保持する荷重調節ユニットを示す正面図である。
【図９Ａ】他のロッキング構造によって第１姿勢を保持する荷重調節ユニットを示す正面図である。
【図９Ｂ】図９Ａに表示されたＦ−Ｆ線に沿って示す断面図である。
【図９Ｃ】図８に表示されたＥ−Ｅ線に沿って示す断面図である。
【図１０】さらに他のロッキング構造によって第２姿勢を保持する荷重調節ユニットを示す正面図である。
【図１１Ａ】さらに他のロッキング構造によって第１姿勢を保持する荷重調節ユニットを示す正面図である。
【図１１Ｂ】図１１Ａに表示されたＨ−Ｈ線に沿って示す断面図である。
【図１１Ｃ】図１０に表示されたＧ−Ｇ線に沿って示す断面図である。
【図１２】支持部材を通じて第２姿勢を保持する荷重調節ユニットを示す正面図である。
【図１３Ａ】支持部材を通じて第１姿勢を保持する荷重調節ユニットを示す正面図である。
【図１３Ｂ】図１３Ａに表示されたＪ−Ｊ線に沿って示す断面図である。
【図１３Ｃ】図１２に表示されたＩ−Ｉ線に沿って示す断面図である。
【図１４】他の構造の支持部材を通じて第２姿勢を保持する荷重調節ユニットを示す斜視図である。
【図１５Ａ】他の構造の支持部材を通じて第１姿勢を保持する荷重調節ユニットを示す正面図である。
【図１５Ｂ】図１５Ａに表示されたＬ−Ｌ線に沿って示す断面図である。
【図１５Ｃ】図１４に表示されたＫ−Ｋ線に沿って示す断面図である。
【図１６】さらに他の構造の支持部材を通じて第２姿勢を保持する荷重調節ユニットを示す斜視図である。
【図１７Ａ】さらに他の構造の支持部材を通じて第１姿勢を保持する荷重調節ユニットを示す正面図である。
【図１７Ｂ】図１７Ａに示されたＮ−Ｎ線に沿って示す断面図である。
【図１７Ｃ】図１６に表示されたＭ−Ｍ線に沿って示す断面図である。
【図１８】本発明の一実施形態によるベビーキャリアの肩バンドまたは腰バンドに備えられる引っ張り取っ手を示す斜視図である。
【図１９】本発明の一実施形態によるベビーキャリアの裏面固定部材が肩バンドに付着される状態を示す斜視図である。
【図２０Ａ】図１９に表示した０部分を拡大した図面である。
【図２０Ｂ】図１９に表示した０部分の裏面を拡大した図面である。
【図２０Ｃ】図２０Ｂに表示されたＰ−Ｐ線に沿って示す断面図である。
【図２１】本発明の一実施形態によるベビーキャリアにセンシング部が備えられた例を示す斜視図である。
【図２２】図２１に示されたセンシング部を示す分解斜視図である。
【図２３】本発明の一実施形態によるセンシング部を用いた赤ちゃんとオムツの状態モニタリングシステムの構成を示す図面である。
【図２４】本発明の一実施形態によるセンシング部の構成を示すブロック図である。
【図２５】本発明の一実施形態による外部機器の構成を示すブロック図である。
【図２６Ａ】センシング部によって感知された赤ちゃんの状態を外部機器のディスプレイ部に表示した例を示す図面である。
【図２６Ｂ】センシング部によって感知された赤ちゃんの状態を外部機器のディスプレイ部に表示した例を示す図面である。
【図２６Ｃ】センシング部によって感知された赤ちゃんの状態を外部機器のディスプレイ部に表示した例を示す図面である。
【図２６Ｄ】センシング部によって感知された赤ちゃんの状態を外部機器のディスプレイ部に表示した例を示す図面である。
【発明を実施するための形態】
【００３７】
後術する実施形態は、本発明の理解を助けるために例示的に示したものであり、本発明は、ここで説明される実施形態とは異なって、多様に変形されて実施可能であることが理解しなければならない。但し、以下、本発明を説明するに当って、関連した公知の機能あるいは構成要素についての具体的な説明が、本発明の要旨を不明にする恐れがあると判断される場合、その詳細な説明及び具体的な図示を省略する。また、添付図面は、発明の理解を助けるために実際の縮尺どおりに示されたものではなく、一部構成要素の寸法が誇張されるように示されうる。
【００３８】
本発明の一実施形態によるベビーキャリア１は、赤ちゃんを抱いた状態で荷重調節ユニット１００を操作して左側及び右側肩バンド２０ａ、２０ｂと腰バンド３０とに同時に伝達される赤ちゃんの体重を適切な比率で分散させることができる。これにより、ユーザは、赤ちゃんの体重によって肩や腰に痛みが集中しないように赤ちゃんを抱いた状態で荷重調節ユニット１００を通じて選択的に荷重分布を調節することができる。
【００３９】
以下、図面を参照して、本発明の一実施形態によるベビーキャリアの構造について詳しく説明する。
【００４０】
図ｌは、本発明の一実施形態によるベビーキャリアを示す斜視図であり、図２Ａ及び図２Ｂは、荷重調節ユニットのヒップシートが第１姿勢及び第２姿勢に位置した状態をそれぞれ示すベビーキャリアの側面図である。
【００４１】
図ｌを参照すれば、本発明の一実施形態によるベビーキャリア１は、本体部１０、左側及び右側肩バンド２０ａ、２０ｂ、腰バンド３０、頭台５０及び荷重調節ユニット１００が含まれうる。
【００４２】
本体部１０は、ユーザがベビーキャリア１を使用して赤ちゃんを抱いた状態で赤ちゃんのヒップと体とを支持することができる。本体部３０は、上部両側に左側及び右側肩バンド２０ａ、２０ｂが連結され、下部に腰バンド３０が連結される。
【００４３】
左側及び右側肩バンド２０ａ、２０ｂは、それぞれユーザの両肩に掛けた状態で締結部材４０によって互いに連結されうる。締結部材４０は、左側及び右側肩バンド２０ａ、２０ｂにそれぞれ一端が連結された第ｌ及び第２ベルト４２ａ、４２ｂと、第ｌ及び第２ベルト４２ａ、４２ｂの他端にそれぞれ固定され、互いに分離可能にスナップ結合される一対のバックル４１、４３と、を含みうる。ユーザは、左側及び右側肩バンド２０ａ、２０ｂを両肩に担いで締結部材４０の一対のバックル４１、４３をかければ、ベビーキャリア１を上体に安定して着用することができる。この状態で赤ちゃんを抱けば、赤ちゃんがベビーキャリア１から容易に離脱されないので、赤ちゃんの墜落事故を未然に防止することができる。
【００４４】
腰バンド３０は、前側の上端が本体部１０に連結され、ユーザがベビーキャリア１着用時に、ユーザの腰部を取り囲む。腰バンド３０は、ベビーキャリア１の着用及び着用解除が容易になるように前述したバックルのようなスナップ結合具（図示せず）が備えられうる。
【００４５】
腰バンド３０は、内側に固定板３１が結合されうる。固定板３１は、本体部１０の下側に位置するように腰バンド３０のほぼ前側に配置される。固定板３１は、荷重調節ユニット１００が分離可能に結合され、第２姿勢で後述するヒップシート１３０を通じて赤ちゃんの体重を腰バンド３０に伝達する。固定板３１とヒップシート１３０は、赤ちゃんの体重を支えることができるように所定の剛性を有する材質からなりうる。固定板３１に対する具体的な構成は、図３Ａないし図４を参照して後述する。
【００４６】
荷重調節ユニット１００が腰バンド３０に分離可能に結合されるベース１１０と、ベース１１０に折り畳まれる第１姿勢とベース１１０と一定の角度を保持するように開かれる第２姿勢とで回転するヒップシート１３０と、第１姿勢及び第２姿勢のうち何れか１つの姿勢でヒップシート１３０の位置を保持する姿勢保持部２００と、を含む。
【００４７】
ベース１１０は、腰バンド３０の前面に分離可能に連結される。しかし、ベース１１０は、これに制限されず、腰バンド３０の前面に固定された状態で結合されうる。
【００４８】
ベース１１０は、前面上部にヒップシート１３０の一端部が回転自在にヒンジ連結される。図２Ａのように、ヒップシート１３０がベース１１０に折り畳まれた状態を第１姿勢と言い、図２Ｂのように、ヒップシート１３０がベース１１０と一定の角度を保持するように開かれた状態を第２姿勢と言う。前記荷重調節ユニット１００が、第１姿勢と第２姿勢とを取ることによって左側及び右側肩バンド２０ａ、２０ｂと腰バンド３０とに赤ちゃん体重によってそれぞれ加えられる荷重の程度が変わる。
【００４９】
この場合、赤ちゃん体重のほとんどは、腰バンド３０よりも左側及び右側肩バンド２０ａ、２０ｂに作用する。この状態でユーザがベビーキャリア１を長時間使用すれば、ユーザの腰よりも肩にさらに大きな荷重が作用するので、肩に痛みを感じることができる。
【００５０】
この場合、ユーザが赤ちゃんを抱いたまま荷重調節ユニット１００を第２姿勢に変更させれば、ヒップシート１３０が本体部１０に加えられる赤ちゃんの体重を受けて腰バンド３０に伝達する。これにより、左側及び右側肩バンド２０ａ、２０ｂに作用した荷重の相当部分が腰バンド３０に分散されながらユーザの肩に加えられる荷重を軽減することができる。
【００５１】
逆に、ユーザが荷重調節ユニット１００を第２姿勢で一定時間使用することによって、腰に痛みを感じれば、荷重調節ユニット１００を第１姿勢に変更させ、本体部１０を支持しないようにして、腰に加えられた荷重の相当部分を肩に分散することができる。
【００５２】
このように、ユーザは、荷重調節ユニット１００を第１姿勢と第２姿勢のうち何れか１つの姿勢に変更させることによって、左側及び右側肩バンド２０ａ、２０ｂと腰バンド３０とに作用する荷重の比率を変更することができる。これにより、赤ちゃん体重による荷重がユーザの肩や腰のうち何れか一箇所に集中しないようにして、当該部分で発生する痛みを低減させることができる。
【００５３】
図３Ａは、図ｌに示された荷重調節ユニットと腰バンドとを示す分解斜視図であり、図３Ｂは、図３Ａに示された荷重調節ユニットと腰バンドとの結合斜視図である。図４は、図３Ｂに表示されたＢ−Ｂ線に沿って示す断面図である。
【００５４】
腰バンド３０は、荷重調節ユニット１００を腰バンド３０に分離可能に固定させるために固定板３１を備えることができる。固定板３１は、腰バンド３０の前側内側でユーザの腹と腰の一部を取り囲むように腰バンド３０の長手方向に沿って配置される。
【００５５】
固定板３１は、前面に腰バンド３０の外側に露出された複数の結合突起３４を含む。複数の結合突起３４は、それぞれ固定板３１から突出したピン部２２と、前記ピン部２２の先端にピン部の断面積よりも広い断面積を有するピン部２２ヘッド部２３と、で形成される。
【００５６】
ベース１１０は、腰バンド３０に分離可能に固定され、前面にヒップシート１３０の一端が回転自在にヒンジ連結される。ベース１１０は、腰バンド３０の複数の結合突起３４が結合される複数の結合ホール１１１が形成されうる。複数の結合ホール１１１は、半径が異なる円が上下に一部重畳された形状に形成される。各結合ホール１１１は、上側に形成された円１３３が下側に形成された円１３２よりも小さく形成される。
【００５７】
各結合ホール１１１の下側円１１２は、結合突起３４のヘッド部３３が通過するように、結合突起３４のヘッド部３３の直径と同じか、それより大径を有する。各結合ホール１１１の上側円１１３は、結合突起３４のピン部３２を収容することができるように、ピン部３２の直径と同じか、それより大径を有する。
【００５８】
下側円１１２と上側円１１３とが合う部分の幅は、結合突起３４のピン部３２の直径よりも小さく形成される。これにより、ベース１１０が固定板３１に結合時に、しっかりとした音と感じで安定した固定の有無を判断することができる。結合ホール１１１は、ベース１１０が固定板３１に結合した後、容易に抜けないように固定する役割を果たす。
【００５９】
ベース１１０を固定板３１に結合する過程は、下記の通りである。ベース１１０を固定板３１の前面に移動させて結合ホール１１１の下側円１１２に結合突起３４のピン部２２ヘッド部２３を通過させた後、ベース１１０を下に移動させて結合ホール１１１の上側円１１３に結合突起３４のピン部３２がかかるようにする。ベース１１０を固定板３１から分離する過程は、ベース１１０を固定板３１に結合する過程の逆順になされる。
【００６０】
ベース１１０は、ユーザがベビーキャリア１を着用時に、腹の屈曲に対応するように荷重調節ユニット１００が配される前側に向けて突出するように、所定の曲率を有するように曲がる。これにより、ベース１１０は、ユーザの腹と腰の一部に密着され、第２姿勢でヒップシート１３０から伝達される荷重がベース１１０を通じて腹と腰の一部にほぼ均一に伝達されうる。したがって、ユーザは、ベビーキャリア１を着用する場合、楽な着用感を感じることができる。
【００６１】
ヒップシート１３０は、中央部１３２の両側にそれぞれ所定の角度で傾いた傾斜部１３１、１３３が延設される。これにより、第２姿勢で傾斜部１３１、１３３は、赤ちゃんの足を自然に支持することができる。また、第１姿勢でヒップシートの両側が突出しないようにして、赤ちゃんの身体（足または太もも）が触れないようにする。
【００６２】
図４を参照すれば、腰バンド３０の外側には、ベース１１０の下端を支持する分散板３５が配される。第２姿勢でヒップシート１３０に加えられた赤ちゃんの体重は、ベース１１０に伝達される。これにより、ベース１１０が結合突起１１１を基準点として逆時計回り方向に回転しようとする状態になる。これにより、ベース１１０の下端部が腰バンド３０の前面を加圧する。この場合、傾いたベース１１０の下端部のエッジに接触される腰バンド３０部分に荷重が集中する問題がある。このような集中した荷重を分散させるために、腰バンド３０の外側に一端３５ａは、ベース１１０の下端部を支え、他端３５ｂは、腰バンド３０に固定される分散板３５を配置することができる。分散板３５は、固定板３１と離隔を置いて配される。
【００６３】
分散板３５は、ベース１１０のヒップシート１３０とヒンジ連結される部分と最も遠く離れた部分を支持する。分散板３５がベース１１０の下端部１１６を支持するために、固定板３１の下端部１１６は、分散板３５を配置するために、凹状の配置溝３７が形成される。配置溝３７は、分散板３５よりも大きく形成される。これにより、分散板３５と固定板３１は、互いに離隔して配置される。
【００６４】
ベース１１０の下端部１１６が腰バンド３０方向に傾く時、ベース１１０の下部分を分散板３５が支持する。これにより、ベース１１０の下端部１１６が傾きながら何れか一地点に力の集中を防止することができる。分散板３５は、ベース１１０の傾いた下端部１１６のエッジに集中する荷重を分散させることができる。図４に示された矢印のように、ヒップシート１３０に加えられた荷重は、分散板３５によって分散されてユーザに作用する。これにより、ユーザの腹部に加えられる痛みを減少させることができる。
【００６５】
姿勢保持部２００は、多様な実施形態を含み、これについては、下記の図面を参照して説明する。
【００６６】
図５は、荷重調節ユニットのヒップシートを示す斜視図であり、図６は、ロッキング構造によって第２姿勢を保持する荷重調節ユニットを示す正面図である。図７Ａは、ロッキング構造によって第１姿勢を保持する荷重調節ユニットを示す正面図であり、図７Ｂは、図７Ａに表示されたＤ−Ｄ線に沿って示す断面図であり、図７Ｃは、図６に表示されたＣ−Ｃ線に沿って示す断面図である。
【００６７】
図５ないし図７Ａを参照すれば、ベース１１０の一側には、ヒップシート１３０が折り畳まれた第１姿勢及び開かれた第２姿勢を保持することができる姿勢保持部２００が配置される。
【００６８】
姿勢保持部２００は、ロッキングシャフト２５０とロッキング部２７０とを含みうる。ロッキングシャフト２５０は、ベース１１０に摺動可能に弾力的に配される。姿勢保持部２００は、ヒップシート１３０に形成され、ロッキングシャフト２５０が固定可能に結合される第１及び第２ロッキング溝２２０、２３０が形成される。
【００６９】
図６を参照すれば、ベース１１０の前面上部には、ヒンジ部１５０が突設され、ベース１１０にヒップシート１３０を回転自在に連結するためのヒンジ軸１５１が結合される。ヒップシート１３０の裏面上部には、ヒンジ部１５０の両側にそれぞれ配される一対のロッキングリブ２７０が突設される。一対のロッキングリブ２７０は、互いに対称に配され、その構成が同一なので、以下、左側ロッキングリブ２７０についてのみ説明する。
【００７０】
図５を参照すれば、ロッキングリブ２７０の一面２７０ａには、ヒンジ孔１５３と第１及び第２ロッキング溝２２０、２３０とが形成される。ヒンジ孔１５３には、ヒンジ軸１５１の一端が挿入された状態で支持される。これにより、ヒップシート１３０は、ベース１１０に対して時計回り方向及び逆時計回り方向に所定の角度で回転する。
【００７１】
第１及び第２ロッキング溝２２０、２３０は、一定間隔を置いて配され、ヒップシート１３０がベースに折り畳まれるか、開かれる第１及び第２姿勢によってロッキングシャフト２５０が挿入される位置に配置される。これにより、ロッキングシャフト２５０は、ヒップシート１３０がベース１１０に折り畳まれる第１姿勢に位置する時、第１ロッキング溝２２０に挿入され、ヒップシート１３０がベース１１０に対して所定の角度で開かれる第２姿勢に位置する時、第２ロッキング溝２３０に挿入される。このように、ロッキングシャフト２５０が第ｌまたは第２ロッキング溝２２０、２３０に挿入される時、第１または第２姿勢が保持されうる。
【００７２】
第１ロッキング溝２２０は、ヒップシート１３０の回動方向に沿って円弧状に形成される。第１ロッキング溝２２０は、第２ロッキング溝２３０から遠ざかるほど第１ロッキング溝２２０の深さが深くなる方向に傾いたカム面２２３を含む。ロッキングシャフト２５０が固定される第ｌロッキング溝２２０の固定部２２５は、カム面２２３と連結されるように形成され、第ｌロッキング溝２２０の最も深い地点でロッキングシャフト２５０の挿入部２５５に対応するように円筒状に形成される。第ｌロッキング溝２２０が円弧状になされることによって、ロッキングシャフト２５０が第ｌロッキング溝２２０に挿入された状態でロッキングハンドル２５７を引っ張らず、ヒップシート１１０を広げる動作のみを通じて第１姿勢から第２姿勢に変更することができる。
【００７３】
第２ロッキング溝２３０は、ロッキングシャフト２５０を固定するために、ロッキングシャフト２５０の挿入部２５５に対応する円筒状に形成される。第２ロッキング溝２３０の直径は、ロッキングシャフト２５０の直径と同じか、少し大きく形成されうる。
【００７４】
ヒップシート１３０とベース１１０とのヒンジ連結構造及びロッキング構造についてさらに具体的に説明する。
【００７５】
ヒップシート１３０は、ベース１１０に折り畳まれる第１姿勢と、ベース１１０と一定の角度を保持するように開かれる第２姿勢と、で回転自在にベース１１０にヒンジ連結される。
【００７６】
ヒンジ軸１５１は、ヒップシート１３０のロッキングリブ２７０に回転自在に支持される。具体的に、ヒンジ軸１５１の一端は、ロッキングリブ２７０に形成されたヒンジ孔１５３に挿入される。ヒップシート１３０は、ヒンジ軸１５１を回転中心にしてベース１１０に対して所定の角度で回転することができる。ヒンジ軸１５１は、ベース１１０の前面上部に突設されたヒンジ部１５０の内側に貫通して配される。
【００７７】
ベース１１０は、上部にヒップシート１３０と共に回転するロッキングリブ２７０が干渉されないように回動溝１３５が形成される。姿勢保持部２００は、ロッキングリブ２７０に形成された第１及び第２ロッキング溝２２０、２３０と、ヒンジ軸１５１の外側または回動溝１５３の内側に前記第ｌ及び第２ロッキング溝２２０、２３０に選択的に弾力結合されるロッキングシャフト２５０と、を含みうる。
【００７８】
ロッキングシャフト２５０は、軸部２５１、挿入部２５５及びロッキングハンドル２５７を含みうる。
【００７９】
軸部２５１は、ヒンジ部１５０の一部に摺動自在に貫設される。挿入部２５５は、軸部２５１の一端に延設され、第ｌ及び第２ロッキング溝２２０、２３０に選択的に挿入される。軸部２５１の他端には、ユーザが軸部２５１を移動させるためのロッキングハンドル２５７が結合される。
【００８０】
挿入部２５５は、荷重調節ユニット１００が第ｌまたは第２姿勢に変更されることによって、第ｌ及び第２ロッキング溝２２０、２３０のうち何れか１つに選択的に挿入される。挿入部２５５は、第ｌ及び第２ロッキング溝２２０、２３０のうち何れか１つに挿入されれば、第ｌまたは第２姿勢に位置したヒップシート１３０を固定させ、第ｌ及び第２ロッキング溝２２０、２３０から抜け出れば、ヒップシート１３０が第ｌ及び第２姿勢のうち何れか１つの姿勢から残りの１つの姿勢に変更可能な状態になる。
【００８１】
弾性部材２５３は、ヒンジ部１５０の一部の内側で軸部２５１を弾力的に支持する。弾性部材２５３は、軸部２５１が挿入されるコイルバネで形成されうる。弾性部材２５３は、ロッキングシャフト２５０をロッキングリブ２７０側に加圧する方向に弾性力が作用する。これにより、ロッキングシャフト２５０は、第１及び第２ロッキング溝２２０、２３０が形成されたロッキングリブ２７０面に対してほぼ垂直な方向に沿って直線移動することができる。
【００８２】
ロッキングハンドル２５７は、第２姿勢でロッキングリブ２７０から遠ざかる方向に引っ張って挿入部２５５を第２ロッキング溝２３０から引き出す。これにより、ヒップシート１３０は、開かれたまま保持された状態が解除されてベース１１０に折り畳まれる。
【００８３】
荷重調節ユニット１００のヒップシート１１０が第１姿勢及び第２姿勢のうち何れか１つから、第１姿勢及び第２姿勢のうち残りの１つに変更する過程を、図７Ｂ及び図７Ｃを参照して説明する。
【００８４】
図７Ｂのように、ヒップシート１３０は、第１姿勢ベース１１０に折り畳まれる。第１姿勢で、ベビーキャリア１の本体部１０には、赤ちゃんの体重が載せられて左側及び右側肩バンド２０ａ、２０ｂを下に引っ張る。この場合、赤ちゃんの体重によって左側及び右側肩バンド２０ａ、２０ｂに加えられる荷重は、腰バンド３０に加えられる荷重よりもさらに大きくなる。
【００８５】
ユーザが、荷重調節ユニット１００を第１姿勢で設定した状態でベビーキャリア１を長時間使用する場合、肩に痛みを感じることができる。この場合、ユーザは、単純な操作を通じて荷重調節ユニット１００を第１姿勢から第２姿勢に変更して肩に加えられる荷重の相当部分は腰に伝達することによって、肩に加えられる痛みを減らしうる。
【００８６】
荷重調節ユニット１００を第１姿勢から第２姿勢に変更するために、ユーザは、単にヒップシート１３０をベース１１０から開かれる方向に回転させれば、第１姿勢でのヒップシート１３０に対する固定は解除される。
【００８７】
次いで、ユーザがヒップシート１３０を開かれる方向に回転すれば、ロッキングシャフト２５０の挿入部２５５は、第１ロッキング溝２２０の固定部２２５から抜け出てカム面２２３に沿って摺動して第ｌロッキング溝２２０を抜け出る。引き続き、挿入部２５５は、ヒップシート１３０と共に回転するロッキングリブ２７０の一面２７０ａをスライディングする。
【００８８】
ヒップシート１３０が完全に開かれた第２姿勢に位置すれば、図７Ｃのように、ロッキングシャフト２５０の挿入部２５５は、第２ロッキング溝２３０に挿入される。これにより、ヒップシート１３０は、開かれた状態で固定される。
【００８９】
荷重調節ユニット１００が第１姿勢から第２姿勢に転換されれば、本体部１０に載せられた赤ちゃんの体重は、ヒップシート１３０を通じて腰バンド３０に伝達されることによって、左側及び右側肩バンド２０ａ、２０ｂを通じてユーザの肩に加えられた荷重が腰バンド３０に分散される。したがって、腰バンド３０に加えられる荷重が左側及び右側肩バンド２０ａ、２０ｂに加えられる荷重よりもさらに大きく作用する。
【００９０】
このように、荷重調節ユニット１００を第１姿勢から第２姿勢に切り換えれば、ユーザは、肩に加えられる痛みを減らしうる。
【００９１】
一方、荷重調節ユニット１００を第２姿勢で設定した状態でベビーキャリア１を長時間使用すれば、腰に痛みを感じることができる。この場合、荷重調節ユニット１００を第２姿勢から第１姿勢に迅速に変更することによって、腰の痛みを緩和することができる。以下、荷重調節ユニット１００を第２姿勢から第１姿勢に切り換える過程を説明する。
【００９２】
荷重調節ユニット１００を第２姿勢から第１姿勢に変更するために、ユーザは、ロッキングハンドル２５７を図６に表示された矢印方向に引っ張れば、第２ロッキング溝２３０に挿入されたロッキングシャフト２５０の挿入部２５５は、第２ロッキング溝２３０から抜け出る。この状態でヒップシート１３０を折畳方向に回転すれば、挿入部２３５は、弾性部材２５３によってロッキングリブ２７０の一面２７０ａを加圧した状態でスライディングしながら第ｌロッキング溝２２０のカム面２２３に沿って第１ロッキング溝２３０に挿入される。挿入部２３５が引き続き第１ロッキング溝２２０のカム面２２３に沿ってスライディングしながら第１ロッキング溝２３０の固定部２２５に挿入されれば、ヒップシート１３０は、ベース１１０に折り畳まれて荷重調節ユニット１００は第１姿勢に変更される。
【００９３】
一方、本発明の一実施形態による荷重調節ユニットは、多様な構造の姿勢保持部を有し、以下、添付の図８ないし図１７Ｃを参照して荷重調節ユニットの多様な実施形態を説明する。
【００９４】
図８ないし図１７Ｃを通じて分かるように、荷重調節ユニットの基本的な構造は、前述した本発明の一実施形態と同様になされる。したがって、前記一実施形態と同じ部分及び構成に対しては、同じ参照符号を付与して引用する。
【００９５】
図８は、他のロッキング構造によって第２姿勢を保持する荷重調節ユニットを示す正面図であり、図９Ａは、他のロッキング構造によって第１姿勢を保持する荷重調節ユニットを示す正面図である。図９Ｂは、図９Ａに表示されたＦ−Ｆ線に沿って示す断面図であり、図９Ｃは、図８に表示されたＥ−Ｅ線に沿って示す断面図である。
【００９６】
図８ないし図９Ｃを参照すれば、荷重調節ユニット１００を第１または第２姿勢に変更するように操作することができる姿勢保持部３００は、ヒップシート１３０に摺動可能に弾力的に配されるロッキングシャフト３５０と、ベース１１０に形成され、ロッキングシャフト３５０が固定可能に結合される第１及び第２ロッキング溝３２０、３３０と、を含みうる。
【００９７】
図８に示された本発明の他の実施形態による荷重調節ユニット１００の姿勢保持部３００のロッキングシャフト３５０は、ヒップシート１３０に形成され、第１及び第２ロッキング溝３２０、３３０は、ベース１１０に形成される。ロッキングシャフト２５０がベース１１０に形成され、第１及び第２ロッキング溝２２０、２３０は、ヒップシート１３０に形成された図６の実施形態のロッキング構造と差がある。
【００９８】
ベース１１０は、ヒンジ孔１５３と第１及び第２ロッキング溝３２０、３３０が形成されたロッキングリブ３７０とを含む。ロッキングリブ３７０は、ベース１１０の上部でヒップシート１３０に向けて突設される。ロッキングリブ３７０は、ベース１１０の外側面に形成され、ロッキングリブ３７０は、ベース１１０の上部両側に互いに対称に形成される。
【００９９】
ロッキングシャフト３５０は、ロッキングリブ３７０面に対して垂直な方向に沿って直線移動することができる。ロッキングシャフト３５０は、後述する弾性部材３５３によってロッキングシャフト収容部３８０内で弾力的に移動可能である。ロッキングシャフト収容部３８０は、ヒップシート１３０に形成され、ロッキングシャフト収容部３８０は、ロッキングリブ３７０面に隣接して配される。
【０１００】
第１ロッキング溝３２０と第２ロッキング溝３３０は、互いに一定間隔を置いてロッキングリブの一面３７０ａに形成される。ロッキングリブの一面３７０ａは、ロッキングシャフト収容部３８０と隣接した面である。
【０１０１】
第１及び第２ロッキング溝３２０、３３０は、一定間隔を置いて配され、ヒップシート１３０がベースに折り畳まれるか、開かれる第１及び第２姿勢によってロッキングシャフト３５０が挿入される位置に配置される。これにより、ロッキングシャフト３５０は、ヒップシート１３０がベース１１０に折り畳まれる第１姿勢に位置する時、第１ロッキング溝３２０に挿入され、ヒップシート１３０がベース１１０に対して所定の角度で開かれる第２姿勢に位置する時、第２ロッキング溝３３０に挿入される。このように、ロッキングシャフト３５０が第ｌまたは第２ロッキング溝３２０、３３０に挿入される時、第１または第２姿勢が保持されうる。
【０１０２】
第１ロッキング溝３２０は、第２ロッキング溝３３０よりも上側に位置する。
【０１０３】
具体的に、ヒップシート１３０が第２姿勢を保持する時、ロッキングシャフト３５０は、ロッキングリブ３７０の下側に形成された第２ロッキング溝３３０に挿入される。
【０１０４】
第１ロッキング溝３２０と第２ロッキング溝３３０は、ロッキングシャフト３５０の挿入部３５５が挿設される深さを有するように形成される。第ｌロッキング溝３２０と第２ロッキング溝３３０は、ロッキングシャフト３５０の挿入部３５５に対応する円筒状に形成される。第ｌロッキング溝３２０と第２ロッキング溝３３０の直径は、ロッキングシャフト３５０の直径と同じか、少し大きく形成される。
【０１０５】
ロッキングシャフト３５０は、軸部３５１、挿入部３５５及びロッキングハンドル３５７を含みうる。軸部３５１は、ロッキングリブ３７０の一部に摺動自在に貫設される。挿入部３５５は、軸部３５１の一端に延設され、第ｌ及び第２ロッキング溝３２０、３３０に選択的に挿入される。軸部３５１の他端には、ユーザが軸部３５１を移動させるためのロッキングハンドル３５７が結合される。
【０１０６】
挿入部３５５は、荷重調節ユニット１００が第ｌまたは第２姿勢に変更されることによって、第１及び第２ロッキング溝３２０、３３０のうち何れか１つに選択的に挿入される。挿入部３５５は、第１及び第２ロッキング溝３２０、３３０のうち何れか１つに挿入されれば、第１または第２姿勢に位置したヒップシート１３０を固定させ、第１及び第２ロッキング溝３２０、３３０から抜け出れば、ヒップシート１３０が第１及び第２姿勢のうち何れか１つの姿勢から残りの１つの姿勢に変更可能な状態になる。
【０１０７】
弾性部材３５３は、シャフト収容部３８０の一部の内側で軸部３５１を弾力的に支持する。弾性部材３５３は、軸部３５１が挿入されるコイルバネで形成されうる。弾性部材３５３は、ロッキングシャフト３５０をロッキングリブ３７０側に加圧する方向に弾性力が作用する。これにより、ロッキングシャフト３５０は、第ｌ及び第２ロッキング溝３２０、３３０が形成されたロッキングリブ３７０面に対してほぼ垂直な方向に沿って直線移動することができる。
【０１０８】
ロッキングハンドル３５７は、第２姿勢でロッキングリブ３７０から遠ざかる方向に引っ張って挿入部３５５を第２ロッキング溝３３０から引き出す。これにより、ヒップシート１３０は、開かれたまま保持された状態が解除されてベース１１０に折り畳まれる。
【０１０９】
ロッキングシャフト３５０は、ヒップシート１３０が第２姿勢に開かれる時、外部に露出されるように配される。ロッキングシャフト３５０は、ヒップシート１３０の姿勢を変更するために矢印方向に移動しなければならない。ヒップシート１３０が開かれた状態で、ロッキングハンドル３５７が外部に露出されているので、ユーザがヒップシート１３０を第２姿勢から第１姿勢に変更させる時に容易な利点がある。
【０１１０】
荷重調節ユニット１００が第１姿勢または第２姿勢から残りの姿勢に変更される時、挿入部３５５は、第ｌロッキング溝３２０または第２ロッキング溝３３０から抜け出る。引き続き、挿入部３５５は、ロッキングリブ３７０の一面３７０ａをスライディングしながらヒップシート１３０と共に回転する。この際、挿入部３５５は、弾性部材３５３によってロッキングリブ３７０方向に弾性力が作用して、ヒップシート１３０が第１姿勢または第２姿勢に位置すれば、挿入部３５５は、第１ロッキング溝３２０または第２ロッキング溝３３０に挿入される。
【０１１１】
具体的に、図９Ｂのように、ヒップシート１３０が第１姿勢に位置すれば、挿入部３５５は、第１ロッキング溝３２０に挿設され、図９Ｃのように、ヒップシート１３０が第２姿勢に位置すれば、挿入部３５５は、第２ロッキング溝３３０に挿設される。
【０１１２】
本発明の他の実施形態による荷重調節ユニット１００は、第１姿勢で、ロッキング部３００は、ベース１１０とヒップシート１３０とがヒンジ連結される部分に配される。これにより、ロッキングハンドル３５７は、ベビーキャリア１のヒンジ部１５０によって遮蔽されうる。ヒンジ部１５０が荷重調節ユニット１００の連結部分を遮蔽するように配されれば、荷重調節ユニット１００が外観上きれいに見える効果がある。
【０１１３】
荷重調節ユニット１００が第１姿勢を保持する時、ロッキングシャフト３５０は、第１ロッキング溝３２０に挿入される。ヒップシート１３０が折り曲げられた状態でロッキングシャフト３５０は、ロッキングリブ３７０の上側に形成された第１ロッキング溝３２０に挿入される。
【０１１４】
第１ロッキング溝３２０は、ロッキングシャフト３５０の挿入部３５５に対応する形状に形成されるために、第１姿勢で固定されたヒップシート１３０のロッキングを解除するために、ロッキングシャフト３５０を第ｌロッキング溝３２０から取り出さなければならない。
【０１１５】
荷重調節ユニット１００のヒップシート１３０が第１姿勢及び第２姿勢のうち何れか１つから、第１姿勢及び第２姿勢のうち残りの１つに変更する過程を、図９Ｂ及び図９Ｃを参照して説明する。
【０１１６】
図９Ｂのように、ヒップシート１３０は、第１姿勢ベース１１０に折り畳まれる。荷重調節ユニット１００を第１姿勢から第２姿勢に変更するために、ユーザは、ロッキングシャフト３５０を図９Ａに示された矢印方向に引っ張る。ロッキングハンドル３５７を矢印方向に引っ張れば、ロッキングシャフト３５０の挿入部３５５は、第１ロッキング溝３２０から抜け出る。この状態でヒップシート１３０を開かれる方向に回転させれば、挿入部３５５は、弾性部材３５３によってロッキングリブ３７０の一面３７０ａを加圧した状態でスライディングしながら第２ロッキング溝３３０に挿入される。
【０１１７】
ヒップシート１３０が完全に開かれた第２状態に位置すれば、図９Ｃのように、ロッキングシャフト３５０の挿入部３５５は、第２ロッキング溝３３０に挿設される。ロッキングシャフト３５０が第２ロッキング溝３３０に挿入されることによって、ヒップシート１３０は、第２姿勢を保持するように固定される。
【０１１８】
ユーザは、荷重調節ユニット１００を第２姿勢から第１姿勢に変更するために、ロッキングシャフト３５０を図８に示された矢印方向に移動させる。ロッキングハンドル３５７を矢印方向に引っ張れば、ロッキングシャフト３５０の挿入部３５５は、第２ロッキング溝３３０から抜け出る。この状態でヒップシート１３０を折畳方向に回転させれば、挿入部３５５は、弾性部材３５３によってロッキングリブ３７０の一面３７０ａを加圧した状態でスライディングしながら第ｌロッキング溝３２０に挿入される。
【０１１９】
図１０は、さらに他のロッキング構造によって第２姿勢を保持する荷重調節ユニットを示す正面図であり、図１１Ａは、さらに他のロッキング構造によって第１姿勢を保持する荷重調節ユニットを示す正面図である。図１１Ｂは、図１１Ａに表示されたＨ−Ｈ線に沿って示す断面図であり、図１１Ｃは、図１０に表示されたＧ−Ｇ線に沿って示す断面図である。
【０１２０】
図１０ないし図１１Ｃを参照すれば、本発明の他の実施形態による荷重調節ユニット１００の姿勢保持部４００は、第ｌロッキング溝４２０が第２ロッキング溝４３０よりも下側に位置した第ｌ及び第２ロッキング溝４２０、４３０を含む。具体的に、ヒップシート１３０を第１姿勢に固定させるための第ｌロッキング溝４２０がヒップシート１３０を第２姿勢に固定させるための第２ロッキング溝４３０よりも下側に位置する。
【０１２１】
図１０に示されたさらに他のロッキング構造による荷重調節ユニットは、第ｌロッキング溝４２０が第２ロッキング溝４３０よりも上側に形成された図８の実施形態と差異点がある。
【０１２２】
本発明の他の実施形態による荷重調節ユニット１００のヒップシート１３０が第２姿勢に固定される時、図１１Ｃのように、ロッキングシャフト４５０は、ヒンジ孔１５３よりも上側に形成された第２ロッキング溝４３０に挿設される。これにより、ヒップシート１３０が第２姿勢に位置する時、ロッキングシャフト４５０が外部に露出されない。ロッキングシャフト４５０は、ヒップシート１３０の外側面上に配される。
【０１２３】
ロッキングハンドル４５７が第２姿勢で外部に露出されないために、ユーザの誤った作動によって、ヒップシート１３０が第２姿勢で固定が解除される危険が減少する利点がある。
【０１２４】
本発明の他の実施形態による荷重調節ユニット１００のロッキング部４００は、第１姿勢でヒップシート１３０の外側面に配されるために、ロッキング部４００が外部に露出される。
【０１２５】
荷重調節ユニット１００が第１姿勢を保持する時、図１１Ｂのように、ロッキングシャフト４５０は、第１ロッキング溝４２０に挿入される。ヒップシート１３０が折り畳まれた状態でロッキングシャフト４５０は、固定ブラケット４７０のヒンジ孔１５３よりも下側に形成された第１ロッキング溝４２０に挿入される。
【０１２６】
第１ロッキング溝４２０は、ロッキングシャフト４５０の挿入部４５５に対応する形状に形成されるために、第１姿勢で固定されたヒップシート１３０のロッキングを解除するために、ロッキングシャフト４５０を第１ロッキング溝４２０から引き出さなければならない。
【０１２７】
ユーザは、ロッキングハンドル４５７を図１６に示された矢印方向に引っ張って第１姿勢で固定されたヒップシート１３０のロッキングを解除することができる。ロッキングハンドル４５７が第１姿勢で外部に露出されており、ユーザの接近が容易である。これにより、ユーザが荷重調節ユニット１００の姿勢を変更させやすい。
【０１２８】
荷重調節ユニット１００のヒップシート１３０が第１姿勢及び第２姿勢のうち何れか１つから、第１姿勢及び第２姿勢のうち残りの１つに変更する過程は、図８の実施形態と同一なので、これについての説明は省略する。
【０１２９】
図１２は、支持部材を通じて第２姿勢を保持する荷重調節ユニットを示す正面図であり、図１３Ａは、支持部材を通じて第１姿勢を保持する荷重調節ユニットを示す正面図である。図１３Ｂは、図１３Ａに表示されたＪ−Ｊ線に沿って示す断面図であり、図１３Ｃは、図１２に表示されたＩ−Ｉ線に沿って示す断面図である。
【０１３０】
図１２ないし図１３Ｃを参照すれば、ベース１１０の一側には、ヒップシート１３０が第２姿勢に位置された状態で荷重調節ユニット１００を第１または第２姿勢に変更するように操作することができる姿勢保持部５００が設けられうる。
【０１３１】
姿勢保持部５００は、一端が前記ヒップシートにヒンジ連結され、前記第２姿勢で前記ベースに対して前記ヒップシートを開かれた状態に保持する支持部材５１０を含む。
【０１３２】
支持部材５１０の一端５１２ａ、５１２ｂは、ヒップシート１３０にヒンジ連結され、支持部材５１０の他端５１４は、第１姿勢でヒップシート１３０に分離可能に固定され、第２姿勢でベース１１０される。支持部材５１０は、“コ”字状に形成され、支持部材５１０の一端５１２ａ、５１２ｂは、ヒップシート１３０に形成された挿入溝５１１に回転自在に挿入される。支持部材５１０は、開かれたヒップシート１３０からベース１１０まで回転可能である。ヒップシート１３０の他端５１４は、ベース１１０に形成された支持溝５１３に据え置きされる。
【０１３３】
支持部材５１０の一端は、ヒップシート１３０に配され、支持部材５１０の他端は、ベース１１０に据え置きされて、ヒップシート１３０を第２姿勢に固定することができる。
【０１３４】
荷重調節ユニット１００が第１姿勢に位置する時、図１３Ｂのように、支持部材５１０の一端５１２ａ、５１２ｂは、ヒップシート１３０にヒンジ連結され、支持部材５１０の他端５１４は、ヒップシート１３０に形成された収容溝５１５に分離可能に固定される。
【０１３５】
荷重調節ユニット１００が第２姿勢に位置する時、図１３Ｃのように、支持部材５１０の一端５１２ａ、５１２ｂは、ヒップシート１３０にヒンジ連結され、支持部材５１０の他端５１４は、ベース１１０に形成された支持溝５１３に据え置きされる。
【０１３６】
ヒップシート１３０とベース１１０とがヒンジ連結されるヒンジ部１５０に第１及び第２スナップ結合部材５３５が配置される。第１及び第２スナップ結合部材５３１、５３５は、ヒンジ軸１５１上に配される。第１スナップ結合部材５３１は、ヒップシート１３０に配され、第２スナップ結合部材５３５は、ベース１１０に配置される。第１スナップ結合部材５３１と第２スナップ結合部材５３５は、互いに隣接して配される。
【０１３７】
第１スナップ結合部材５３１は、ヒップシート１３０に形成されたスナップ結合収容部５１５に配され、弾性部材５３３と第２スナップ結合部材５３５との間に配される。第１スナップ結合部材５３１の第２スナップ結合部材５３５と隣接しない面に弾性部材５３３が配される。弾性部材５３３は、第ｌスナップ結合部材５３１が第２スナップ結合部材５３３を加圧する方向に弾性力を有する。これにより、第１スナップ結合部材５３１は、ヒップシート１３０と共に回転する時、第２スナップ結合部材５３５を加圧する。第１スナップ結合部材５３１の一端は、弾性部材５３３と接触し、第１スナップ結合部材５３１の他端は、第２スナップ結合部材５３５と接触する。第ｌスナップ結合部材５３１の他端には、外側に突出した複数の突起５３２が形成される。
【０１３８】
第２スナップ結合部材５３５は、ヒンジ軸１５１に固定された状態で配される。第２スナップ結合部材５３５は、ベース１１０に形成されたヒンジ部１５０に配される。第２スナップ結合部材５３５の第ｌスナップ結合部材５３１と接触する一端には、第ｌスナップ結合部材５３１の突起５３２に結合可能な溝５３６が形成される。突起５３２と溝５３６は、第１姿勢または第２姿勢で互いに噛み合うように形成される。
【０１３９】
第ｌ及び第２スナップ結合部材５３５は、第１姿勢または第２姿勢で互いにスナップ結合される。ヒップシート１３０が第１または第２姿勢で回転すれば、ヒップシート１３０の回転によって第ｌスナップ結合部材５３１が回転する。それにより、第１及び第２スナップ結合部材５３１、５３５の結合は解除される。回転したヒップシート１３０が再び第ｌまたは第２姿勢に位置すれば、第１及び第２スナップ結合部材５３１、５３５は、互いにスナップ結合される。
【０１４０】
ヒップシート１３０が第１姿勢から第２姿勢に変更される場合、ヒップシート１３０の回転によって、第ｌスナップ結合部材５３１は、ヒップシート１３０と共に回転する。ヒップシート１３０の第１姿勢状態では、第ｌ及び第２スナップ結合部材５３１、５３５は、互いにスナップ結合されているが、第１スナップ結合部材５３１が回転すれば、第１スナップ結合部材５３１の突起５３２と第２スナップ結合部材５３５の溝５３６が、互いに結合されなくなる。これにより、第１スナップ結合部材５３１は、第２スナップ結合部材５３５と隣接した面に反対される方向に直線移動する。すなわち、第１スナップ結合部材５３１は、弾性部材５３３が配された方向に移動する。ヒップシート１３０が第２姿勢に位置する面、第１及び第２スナップ結合部材５３５は、互いにスナップ結合される。
【０１４１】
荷重調節ユニット１００のヒップシート１３０が第１姿勢及び第２姿勢のうち何れか１つから、第１姿勢及び第２姿勢のうち残りの１つに変更する過程を、図１３Ｂ及び図１３Ｃを参照して説明する。
【０１４２】
荷重調節ユニット１００のヒップシート１３０を第１姿勢から第２姿勢に変更する時、ユーザは、単にヒップシート１３０を開かれる方向に回転させれば、第１姿勢でのヒップシート１３０に対する固定は解除される。
【０１４３】
ヒップシート１３０が第２姿勢に位置する時、第１及び第２スナップ結合部材５３５が互いにスナップ結合されてヒップシート１３０を第２姿勢の位置に一時的に固定させることができる。ユーザが支持部材５１０の他端５１４をヒップシート１３０から分離して、ベース１１０の支持溝５１３に据え置きさせれば、支持部材５１０の他端５１４がベース１１０に据え置きされて、ヒップシート１３０を第２姿勢に固定させることができる。支持部材５１０は、第２姿勢でヒップシート１３０を支持する。
【０１４４】
荷重調節ユニット１００が第２姿勢から第１姿勢に変更される時、ユーザは、ベース１１０に据え置きされた支持部材５１０の他端５１４を支持溝５１３から分離させて、ヒップシート１３０の収容溝５１５に固定させる。支持部材５１０の他端５１４をヒップシート１３０に移動させて、第２姿勢に固定されたヒップシート１３０のロッキングを解除させる。ロッキングが解除されたヒップシート１３０は、第１姿勢で折れる。
【０１４５】
ヒップシート１３０が第１姿勢に位置する時、第ｌ及び第２スナップ結合部材５３５は、互いにスナップ結合して、ヒップシート１３０を第１姿勢の位置に一時的に固定させることができる。第ｌ及び第２スナップ結合部材５３５による固定力は、ユーザが手でヒップシート１３０を開ければ、固定が解除される程度である。
【０１４６】
図１４は、他の構造の支持部材を通じて第２姿勢を保持する荷重調節ユニットを示す斜視図であり、図１５Ａは、他の構造の支持部材を通じて第１姿勢を保持する荷重調節ユニットを示す正面図である。図１５Ｂは、図１５Ａに表示されたＬ−Ｌ線に沿って示す断面図であり、図１５Ｃは、図１４に表示されたＫ−Ｋ線に沿って示す断面図である。
【０１４７】
図１４ないし図１５Ｃを参照すれば、本発明の他の実施形態による荷重調節ユニット１００の姿勢保持部６００は、一端がベース１１０とヒンジ連結される第１リンク６１０と、一端がヒップシート１３０にヒンジ連結され、他端が第１リンク６１０の一部にヒンジ連結される第２リンク６３０と、で構成された支持部材５１０を含む。
【０１４８】
第１リンク６１０の一端には、ベース１１０に回転自在に連結される第１ヒンジ軸６１３が配され、第１リンク６１０の中間部分には、第２リンク６３０と回転自在に連結するための第３ヒンジ軸６５０が配される。第１リンク６１０の一部には、第２姿勢で第２リンク６３０とスナップ結合される突起６１５が形成される。第１リンク６１０の突起６１５は、第３ヒンジ軸６５０よりも上に形成される。
【０１４９】
第２リンク６３０の一端には、ヒップシート１３０に回転自在に連結される第２ヒンジ軸６３３が配され、第２リンク６３０の中間部分には、第１リンク６１０と回転自在に連結するための第３ヒンジ軸６５０が配される。第２リンク６３０の一部には、第２姿勢で第１リンク６１０とスナップ結合される溝６３５が形成される。第２リンク６３０の溝６３５は、第３ヒンジ軸６５０よりも下に形成される。
【０１５０】
第３ヒンジ軸６５０は、第１リンク６１０と第２リンク６３０とを回転自在に連結する。第１リンク６１０と第２リンク６３０は、第３ヒンジ軸６５０によって互いに連動して回転する。
【０１５１】
第１リンク６１０と第２リンク６３０は、前記第２姿勢で互いにスナップ結合される。第１リンク６１０と第２リンク６３０は、第２姿勢で一部が重畳されて一直線上に配される。一直線上に配された第１リンク６１０と第２リンク６３０とによって、ヒップシート１３０は、第２姿勢の位置で折れないように支持される。
【０１５２】
荷重調節ユニット１００が第１姿勢から第２姿勢に変更される時、ユーザは、ヒップシート１３０を開けて第２姿勢の位置に配置する。この際、第１及び第２リンク６１０、６３０が互いにスナップ結合して、ヒップシート１３０を第２姿勢の位置に固定させることができる。
【０１５３】
荷重調節ユニット１００が第１姿勢に位置する時、第１及び第２リンク６３０は、互いに重畳されるように折れる。
【０１５４】
荷重調節ユニット１００が第２姿勢から第１姿勢に変更される時、第１及び第２リンク６３０は、第３ヒンジ軸６５０で連結された部分がベース１１０と遠ざかる方向に回転する。第１リンク６１０は、第２リンク６３０と連結された第３ヒンジ軸６５０がベース１１０と結合した第ｌ回転軸６１３よりも下に位置するように折れる。第２リンク６３０は、第１リンク６１０と連結された第３ヒンジ軸６５０がヒップシート１３０と結合した第２回転軸６３３よりも下に位置するように折れる。
【０１５５】
ユーザは、第１リンク６１０と第２リンク６３０とが連結された第３ヒンジ軸６５０部分にベース１１０と遠ざかる方向に力を加えれば、第２姿勢に固定されたヒップシート１３０のロッキングを解除することができる。ロッキングが解除されたヒップシート１３０は、第１及び第２リンク６３０が互いに重畳されるように折れながら、ベース１１０に折り畳まれる。
【０１５６】
第１及び第２リンク６１０、６３０が互いに重畳されるように折れることによって、ヒップシート１３０とベース１１０とがコンパクトに折れる。
【０１５７】
荷重調節ユニット１００のヒップシート１１０が第１姿勢及び第２姿勢のうち何れか１つから、第１姿勢及び第２姿勢のうち残りの１つに変更する過程を、図１５Ｂ及び図１５Ｃを参照して説明する。
【０１５８】
荷重調節ユニット１００が第１姿勢である時、ヒップシート１３０がベース１１０に折り畳まれる。荷重調節ユニット１００が第１姿勢である時、ベース１１０の全体または少なくとも一部は重ねられる。
【０１５９】
荷重調節ユニット１００のヒップシート１３０を第１姿勢から第２姿勢に変更するために、ユーザは、単にヒップシート１３０を開かれる方向に回転させれば、第１姿勢でのヒップシート１３０に対する固定は解除される。ユーザがヒップシート１３０を開ければ、第ｌ及び第２リンク６１０、６３０は、ヒップシート１３０とベース１１０との間で回転して一直線を成すように配される。具体的に、第１リンク６１０は、ヒップシート１３０が開かれる方向に回動し、第２リンク６３０は、ヒップシート１３０が開かれる逆方向に回動する。第１リンク６１０と第２リンク６３０とが一直線上に配されれば、第１リンク６１０の突起６１５が第２リンク６３０の溝６３５にスナップ結合される。第１リンク６１０と第２リンク６３０とがスナップ結合されることによって、ヒップシート１３０は、第２姿勢を保持するように固定される。
【０１６０】
ユーザは、荷重調節ユニット１００を第２姿勢から第１姿勢に変更するために、第１リンク６１０と第２リンク６３０とのスナップ結合を解除する。スナップ結合が解除された第１リンク６１０は、ヒップシート１３０が第ｌ位置に回転する回転方向に回転し、第２リンク６３０は、ヒップシート１３０の逆方向に回転する。図１３Ｂのように、第１及び第２リンク６１０、６３０は、互いに重畳配されるように回転する。
【０１６１】
図１６は、さらに他の構造の支持部材を通じて第２姿勢を保持する荷重調節ユニットを示す斜視図であり、図１７Ａは、さらに他の構造の支持部材を通じて第１姿勢を保持する荷重調節ユニットを示す正面図である。図１７Ｂは、図１７Ａに示されたＮ−Ｎ線に沿って示す断面図であり、図１７Ｃは、図１６に表示されたＭ−Ｍ線に沿って示す断面図である。
【０１６２】
図１６ないし図１７Ｃを参照すれば、本発明の他の実施形態による荷重調節ユニット１００の姿勢保持部７００は、第１リンク７１０、第２リンク７３０及び第３リンク７５０で構成された支持部材７００を含む。
【０１６３】
第１リンク７１０は、一端がベース１１０とヒンジ連結され、第２リンク７３０は、一端がヒップシート１３０にヒンジ連結され、他端が第１リンク７１０の他端とヒンジ連結され、第３リンク７５０は、一端がヒップシート１３０とヒンジ連結され、他端が第２リンク７３０に摺動自在に結合する。
【０１６４】
第１リンク７１０の一端には、ベース１１０に回転自在に連結される第ｌヒンジ軸７１１が配され、第２リンク７３０の一端には、ヒップシートｌ３０に回転自在に連結される第２ヒンジ軸７３１が配される。第１リンク７１０の他端と第２リンク７３０の他端には、第１リンク７１０と第２リンク７３０とを連結する第３ヒンジ軸７２１が配される。第３ヒンジ軸７２１によって第１リンク７１０と第２リンク７３０は、互いに連動して回転する。第１リンク７１０の他端の裏面には、第２リンク７３０に向けて突設された支持台７３３をさらに含みうる。ヒップシート１３０が第２姿勢に位置する時、支持台７３３は、第１リンク７１０がベース１１０の逆方向への回転を防止する役割を果たす。支持台７３３は、第２リンク７３０の裏面を支えることができるように形成される。
【０１６５】
第３リンク７５０の一端は、ヒップシート１３０に回転自在に連結される第４ヒンジ軸７５１が配される。第３リンク７５０の他端は、第２リンク７３０の中央に第２リンク７３０に沿って摺動可能に配される。
【０１６６】
ヒップシート１３０が第２姿勢に位置する時、第１リンク７１０と第２リンク７３０は、一直線上に置かれるように配される。第１リンク７１０と第２リンク７３０とが一直線上に保持されるように、第３リンク７５０は、第２リンク７３０を支持する。
【０１６７】
第３リンク７５０は、第２リンク７３０を支持するためにトラス構造を形成する。ヒップシート１３０と第２リンク７３０と第３リンク７５０は、互いに三角状を形成するように配される。ヒップシート１３０に加えられる荷重は、第３リンク７５０に加えられ、第３リンク７５０は、第２リンク７３０と第１リンク７１０とが一直線を保持するように固定させる。
【０１６８】
第１リンク７１０は、複数で形成されうる。具体的に、第２リンク７３０に対して右側、左側側面にそれぞれ配されるように、第１リンク７１０ａ、７１０ｂが形成されうる。一対の第１リンク７１０は、第２リンク７３０とヒンジ連結される。第３ヒンジ軸７２１は、一対の第１リンク７１０と第２リンク７３０とを共にヒンジ連結する。
【０１６９】
第２リンク７３０は、一対の第１リンク７１０の間に配されて、第１リンク７１０と連通して回転するように第１リンク７１０とヒンジ連結される。第２リンク７３０は、中央部分に第３リンク７５０の一端が挿入され、第２リンク７３０の長手方向に沿って移動可能に移動ホール７３７が形成される。移動ホール７３７の両側には、第２リンク７３０の長手方向に沿ってガイド溝７３５が形成される。
【０１７０】
第３リンク７５０の両側面には、第２リンク７３０のガイド溝７３５に配されるガイド突起７４７が形成される。
【０１７１】
荷重調節ユニット１００のヒップシート１３０が第１姿勢及び第２姿勢のうち何れか１つから、第１姿勢及び第２姿勢のうち残りの１つに変更する過程は、下記の通りである。
【０１７２】
荷重調節ユニット１００が第１姿勢から第２姿勢に変更される時、折れていた第１リンク７１０は、ベース１１０と遠ざかる方向に開かれ、折れていた第２リンク７３０も、ヒップシート１３０と遠ざかる方向に開かれる。第１リンク７１０と第２リンク７３０とが互いに一直線を成す時、ユーザが第３リンク７５０をヒップシート１３０と近くなる方向に移動させれば、第３リンク７５０は、第１リンク７１０と第２リンク７３０とが一直線上に保持されるように支持する。第３リンク７５０は、第２リンク７３０及びヒップシート１３０と共に内側に三角状を形成しうる。これにより、トラス構造が形成され、ヒップシート１３０に加えられる荷重を支持することができる。
【０１７３】
荷重調節ユニット１００が第１姿勢に位置する時、第１リンク７１０、第２リンク７３０及び第３リンク７５０は、互いに重畳されるように折れる。
【０１７４】
荷重調節ユニット１００が第２姿勢から第１姿勢に変更する時、ユーザは、第３リンク７５０をヒップシート１３０と遠ざかる方向に移動させる。第３リンク７５０を第２リンク７３０の長手方向に沿って移動させて第２姿勢に固定されたヒップシート１３０のロッキングを解除することができる。また、第３リンク７５０がヒップシート１３０と遠ざかる方向に移動することによって、第２リンク７３０とヒップシート１３０と第３リンク７５０とが成すトラス構造が崩れて、第２リンク７３０と第１リンク７１０との固定も解除される。
【０１７５】
これにより、第１リンク７１０は、ベース１１０と近くなる方向に回転し、第２リンク７３０は、ヒップシート１３０と近くなる方向に回転する。第３リンク７５０は、第２リンク７３０の移動ホール７３７の内側に配され、第２リンク７３０は、一対の第１リンク７１０の間に配置される。ヒップシート１３０が第１姿勢に位置する時、第ｌないし第３リンク７１０、７３０、７５０は、互いに重畳されるように折り畳まれる。第２リンク７３０は、第３ヒンジ軸７２１で連結された部分がベース１１０と遠ざかる方向に回転する。第１リンク７１０は、第２リンク７３０と連結された第３ヒンジ軸７２１がベース１１０と結合した第１回転軸７１１よりも下に位置するように折れる。第２リンク７３０は、第１リンク７１０と連結された第３ヒンジ軸７２１がヒップシート１３０と結合した第２回転軸７３１よりも下に位置するように折れる。
【０１７６】
第１及び第２リンク７３０が互いに重畳されるように折れることによって、ヒップシート１３０とベース１１０とがコンパクトに折れる。
【０１７７】
ヒップシート１３０には、第２リンク７３０とヒンジ連結される第２ヒンジ収容部７３３が形成され、ベース１１０には、第２ヒンジ収容部７３３が第１姿勢で分離可能に固定される固定溝７１５が形成される。ヒップシート１３０が第１姿勢に位置する時、第２ヒンジ収容部７３３は、固定溝７１５に挿入されうる。これにより、ヒップシート１３０とベース１１０は、さらにコンパクトに折り畳まれる。
【０１７８】
図１８は、本発明の一実施形態によるベビーキャリアの肩バンドまたは腰バンドに備えられる引っ張り取っ手を示す斜視図である。
【０１７９】
図１８を参照すれば、一般的なバンド調節装置に固定リング２７をさらに付着する。一般的に、基本バンド２１の長さ調整後、残りのバンドがぶらぶらして外観上汚く見えることを解消するために、残る余分のバンド２１を固定リング２７で固定することができる。
【０１８０】
固定リング２７を適用した場合に、バンド２１の長さ調節のために引っ張り取っ手２５をさらに付着することができる。引っ張り取っ手２５は、左側及び右側肩バンド２０ａ、２０ｂまたは腰バンド３０に付着されうる。引っ張り取っ手２５によって左側及び右側肩バンド２０ａ、２０ｂまたは腰バンド３０の長さ調節を容易に行うことができる。
【０１８１】
固定リング２７を適用してバンド２１の長さ調節が難しい問題があった。このような問題を解消するために、一般的な基本バンド２１に長さ調節のための引っ張り取っ手２５をさらに付着する。左側及び右側肩バンド２０ａ、２０ｂまたは腰バンド３０の長さを調節する時、引っ張り取っ手２５を持ち上げれば、長さ調節部材２３と基本バンド２１との間に空間が形成される。その後、引っ張り取っ手２５を下に引っ張れば、左側及び右側肩バンド２０ａ、２０ｂまたは腰バンド３０の長さが調節される。また、長さ調節後、残る引っ張り取っ手２５と基本バンド２１部分は、調節リング２７によってきれいに整理する。
【０１８２】
図１９は、本発明の一実施形態によるベビーキャリアの裏面固定部材が肩バンドに付着される状態を示す斜視図である。
【０１８３】
図１９を参照すれば、本発明の一実施形態によるベビーキャリア１は、裏面に締結部材４０がベビーキャリア１の前側に固定されるように配される。
【０１８４】
締結部材４０は、左側及び右側肩バンド２０ａ、２０ｂにそれぞれ連結された第１及び第２ベルト４２ａ、４２ｂと、第ｌ及び第２ベルト４２ａ、４２ｂの一端部にそれぞれバックル４１、４３と、が備えられる。バックル４１、４３によって第ｌ及び第２ベルト４２ａ、４２ｂが互いに分離可能に締結されうる。
【０１８５】
ユーザの体形によって、ユーザが締結部材４０の位置を探しにくい問題があって、ユーザ一人でベビーキャリア１の着用が難しいという問題がある。したがって、ユーザが締結部材４０の締結を容易にするように、締結部材材４０が締結していない状態では、常にベビーキャリア１の前側に固定させる。
【０１８６】
締結部材４０には、磁性を帯びた固定手段４５が備えられ、左側及び右側肩バンド２０ａ、２０ｂにも、締結部材４０に形成された磁石４５ａと異なる極性の磁石４５ｂとが備えられる。したがって、締結部材４０は、左側及び右側肩バンド２０ａ、２０ｂの前側に分離可能な状態で配置される。
【０１８７】
これにより、ユーザがベビーキャリア１を着用する時、締結部材４０が常にベビーキャリア１の前側に位置するために、締結部材４０の締結時に容易な利点がある。
【０１８８】
締結部材４０を左側及び右側肩バンド２０ａ、２０ｂの前側に分離可能に固定するための固定手段を磁石と説明したが、これに限定されるものではない。ベビーキャリア１を着用していない状態で締結部材４０が左側及び右側肩バンド２０ａ、２０ｂの前側に分離可能に固定される固定手段であれば、十分である。
【０１８９】
図２０Ａ及び図２０Ｂは、それぞれ図１９に表示した０部分と０部分の裏面を拡大した図面である。図２０Ｃは、図２０Ｂに表示されたＰ−Ｐ線に沿って示す断面図である。
【０１９０】
図２０Ａないし図２０Ｃを参照すれば、本発明の一実施形態によるベビーキャリア１は、上、下方向に移動可能な頭台５０を含む。
【０１９１】
頭台５０は、ベビーキャリア１の本体部３０と左側及び右側肩バンド２０ａ、２０ｂに配されたレール５１とに沿って移動可能に形成される。レール５１は、本体部３０の一部と左側及び右側肩バンド２０ａ、２０ｂとの一部に置かれるように配される。レール５１は、本体部３０と左側及び右側肩バンド２０ａ、２０ｂとが曲線で形成されたものに対応するように凹状に曲がる。レール５１には、レール５１の長手方向に沿って複数の溝５３が形成される。複数の溝５３の上側には、頭台５０をレール５１の長手方向に案内するためのガイド部５２が形成される。ガイド部５２は、レール５１の長手方向に沿って外側に突出するように形成される。
【０１９２】
レール５１には、頭台５０と連結され、レール５１に沿って動く移動部材５５が配される。移動部材５５は、一側に固定突起５６を形成した結合部５５ａと、ガイド部５２が挿入されたガイド溝５７と、が形成されうる。また、移動部材５５は、レール５１のガイド部５２を離脱しないようにガイド部５２の一部を取り囲むように形成されるガイド移動部５５ｂを含みうる。ガイド溝５７は、移動部材５５の下端に形成され、図２０Ｂのように、裏面から見た時、移動部材５５の中間に結合部５５ｂが形成され、移動部材５５の両端にガイド移動部５５ｂが形成されうる。結合部５５ａが中央に配されて移動部材５５が移動後、特定の位置で堅固に固定されうる。図２０Ａのように、前面かた見た時、移動部材５５は、ガイド移動部５５ｂのみで形成されうる。
【０１９３】
結合部５５ａは、ガイド移動部５５ｂよりもさらに長く延設され、レール５１の溝５３に接触可能に延設される。結合部５５ａの一端には、レール５１方向に突設された固定突起５６を含む。図２０Ｃのように、固定突起５６は、レール５１の溝５３に挿入可能に形成される。固定突起５６は、レール５１の溝５３に挿入されうるように円状の横断面を有する。レール５１の溝５３の幅が固定突起５６の直径よりも少し大きく形成される。固定突起５６の長さは、レール５１の幅よりも少し短く形成される。移動部材５５の固定突起５６がレール５１の溝５３に挿入されることによって、頭台５０の位置が固定される。
【０１９４】
頭台５０は、レール５１の長手方向に沿って移動可能である。移動部材５５の一端は、頭台５０と連結され、移動部材５５の他端は、レール５１に移動可能に配される。移動部材５５がレール５１のガイド部５２に沿ってレール５１の長手方向に移動し、移動部材５５の結合部５５ａの固定突起５６がレール５１の溝５３に挿入されることによって、移動部材５５は、その位置に固定され、頭台５０の最終位置が固定される。
【０１９５】
頭台５０は、移動部材５５と連結部材５４とによって連結されうる。連結部材５４は、頭台５０の一部に形成される。移動部材５５に連結部材５４がフック状に結合することができる連結溝５８が形成される。連結部材５４の一端は、頭台５０から延設される。連結部材５４には、互いにスナップ結合される部材５４ａ、５４ｂが配される。前記部材は、互いに結合可能な部材であれば、十分である。連結部材５４の他端が移動部材５５の連結溝５８に挿入され、部材５４ａ、５４ｂが互いにスナップ結合すれば、頭台５０と移動部材５５は、互いに結合される。頭台５０は、連結部材５４によって移動部材５５に着脱可能である。
【０１９６】
ベビーキャリア１の頭台５０が上下に動くことによって、赤ちゃんの発達状況及び姿勢によって頭台５０の位置を変更することができる利点がある。
【０１９７】
図２１は、本発明の一実施形態によるベビーキャリアにセンシング部が備えられた例を示す斜視図であり、図２２は、図２１に示されたセンシング部を示す分解斜視図である。
【０１９８】
図２１を参照すれば、本発明の一実施形態によるベビーキャリア１は、本体部３０に赤ちゃんを支持するためのセンシング部６０が配される。センシング部６０は、抱っこ紐本体部１０の内部に位置して、赤ちゃんの身体がセンシング部６０に直接に接触しない。
【０１９９】
図２２を参照すれば、センシング部６０は、体重センシングユニット６１、オムツ状態センシングユニット６３、プロセッサ６７、通信部６９、保存部６８で構成することができる。
【０２００】
センシング部６０は、赤ちゃんのお尻が位置するように本体部１０に配される。
【０２０１】
体重センシングユニット６１は、エアチューブ６２と圧力センサー６１ａとを含む。エアチューブ６２には、エアチューブ６２の内部と圧力センサー６１ａを連結する連結ポート６２ａと圧力センサー６１ａが配される第ｌ収容溝６２ｂとが形成される。連結ポート６２ａは、圧力センサー６１ａをエアチューブ６２の内側に連結可能に配される。第ｌ収容溝６２ｂは、エアチューブ６２の内側に連結可能に配される。これにより、圧力センサー６１ａが第１収容溝６２ｂに配されてエアクッション６２の圧力変化をセンシングすることができる。
【０２０２】
赤ちゃんがセンシング部６０に座る前と後とのエアチューブ６２の圧力は、圧力センサー６１ａによって測定され、該測定された値によって赤ちゃんの体重を感知することができる。赤ちゃんが座らせられるセンシング部６０がエアチューブ６２からなり、圧力センサー６１ａを備えることによって、赤ちゃんがベビーキャリア１に座った時、赤ちゃんの体重を圧力センサーを通じて感知して、赤ちゃんの成長過程での体重を知らせる。
【０２０３】
オムツ状態センシングユニット６３は、温度、湿度、ガスをセンシングすることができるセンサーまたはこれらの統合センサー６５を含む。
【０２０４】
統合センサー６５は、上側フレーム６４ａと下側フレーム６４ｂ内に配されてクレードル６６に挿入された状態でエアチューブ６２の内側に配される。エアチューブ６２は、オムツ状態センシングユニット６３を収容するための第２収容溝６２ｃが形成されうる。第２収容溝６２ｃは、赤ちゃんの身体または赤ちゃんが着用したオムツと隣接するようにエアチューブ６２の中央に形成させる。赤ちゃんが座った時、オムツ状態センシングユニット６３は、センシング部６０周辺の温度、湿度、ガスをセンシングすることができる。また、６軸センサー（加速度＋ジャイロセンサー）をさらに含むことができて、抱っこ紐着用時に傾いた程度をセンシングすることができる。
【０２０５】
図２３は、本発明の一実施形態によるセンシング部を用いた赤ちゃんとオムツの状態モニタリングシステムの構成を示す図面である。
【０２０６】
図２３を参照すれば、本発明の一実施形態による外部機器を用いた赤ちゃんとオムツ状態モニタリングシステム１０００は、赤ちゃんのオムツと隣接するように付着されたセンシング部６０及びユーザの外部機器８０を含む。この際、赤ちゃんの身体（または、赤ちゃんが着用したオムツ）に隣接したセンシング部６０は、オムツ状態と赤ちゃんの体重とを測定することができる。具体的に、センシング部６０は、温度、湿度、ガス及び圧力をセンシングすることができる。センシング部６０は、赤ちゃんのオムツに隣接して赤ちゃんのオムツの状態及び赤ちゃんの体重と関連した信号を測定することができる。この際、センシング部６０は、測定された赤ちゃん信号を外部機器８０に伝送しうる。一方、センシング部６０の具体的な構成は、以下、図２３を参照して詳細に説明する。
【０２０７】
ユーザの外部機器８０は、センシング部６０から測定された複数の信号を受信することができる。この際、ユーザの外部機器８０は、受信された複数の信号を用いて赤ちゃんの体重を計算し、赤ちゃんのオムツの状態を判断することができる。具体的に、ユーザの外部機器８０は、受信された複数の信号に基づいて赤ちゃんの体重を表示し、赤ちゃんのオムツの状態を天気として表現することができる。オムツの状態によって、太陽状態、雲状態、雨状態及び稲光状態のうち１つであると判断することができる。
【０２０８】
一方、説明の便宜上、ユーザの外部機器８０がユーザのスマートフォンであると限定して図示して説明したが、実際の具現時には、スマートＴＶ（Ｓｍａｒｔ  ＴＶ）、タブレットＰＣ（Ｔａｂｌｅｔ  Ｐｅｒｓｏｎａｌ  Ｃｏｍｐｕｔｅｒ）、携帯用マルチメディア再生装置（Ｐｏｒｔａｂｌｅ  Ｍｅｄｉａ  Ｐｌａｙｅｒ：ＰＭＰ）、個人情報端末機（Ｐｅｒｓｏｎａｌ  Ｄｉｇｉｔａｌ  Ａｓｓｉｓｔａｎｔ：ＰＤＡ）、スマートウォッチ（Ｓｍａｒｔ  Ｗａｔｃｈ）などのディスプレイ装置あるいはＬＥＤ光の変化で報知を与えることができるランプ（図示せず）などであり得る。
【０２０９】
図２４は、本発明の一実施形態によるセンシング部の構成を示すブロック図である。
【０２１０】
図２４を参照すれば、本発明の一実施形態によるセンシング部６０は、体重センシングユニット６０、オムツ状態センシングユニット６３、プロセッサ６７、通信部６９、保存部６８を含みうる。
【０２１１】
この際、本発明の一実施形態によるセンシング部６０は、赤ちゃんのオムツに隣接して赤ちゃん及びオムツに関する複数の信号を測定することができる。
【０２１２】
一方、体重センシングユニット６０は、赤ちゃんの体重に関する信号を測定することができる。具体的に、圧力センサー６１ａとエアチューブ６２とで構成することができる。圧力センサー６１ａは、エアチューブ６２の圧力を測定することができるように配される。圧力センサー６１ａは、エアチューブ６２の圧力変化をセンシングすることができる。圧力センサー６１ａは、エアチューブ６２を通じて変化する空気圧、力の大きさなどの物理的変化を測定することができる。
【０２１３】
一方、オムツ状態センシングユニット６３は、赤ちゃんのオムツ状態に関する信号を測定することができる。具体的に、オムツ状態センシングユニット６３は、温度、湿度、ガスセンサーあるいはこれらが含まれた統合センサー６５を含む。
【０２１４】
オムツ状態センシングユニット６３は、赤ちゃんのオムツと隣接してオムツの温度、湿度、ガスをセンシングすることができる。これを通じてオムツの状態を測定することができる。一方、通信部６９は、センシング部６０と外部機器８０とを連結するために、近距離通信網（ＬＡＮ：Ｌｏｃａｌ  Ａｒｅａ  Ｎｅｔｗｏｒｋ）及びインターネット網を通じて外部装置に接続される形態だけではなく、無線通信（例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＬＴＥ（Ｌｏｎｇ  Ｔｅｒｍ  Ｅｖｏｌｕｔｉｏｎ）、ＷｉＢＲＯ（Ｗｉｒｅｌｅｓｓ  Ｂｒｏａｄｂａｎｄ  Ｉｎｔｅｒｎｅｔ）、ＷｉＦｉ、ブルートゥース（登録商標）（Ｂｌｕｅｔｏｏｔｈ（登録商標））などの無線通信）方式を利用できる。
【０２１５】
通信部６９は、体重センシングユニット６０及びオムツ状態センシングユニット６３によって測定された複数の信号またはプロセッサ６７によって処理された結果値を、本発明の一実施形態によるユーザの外部機器８０に送信することができる。一方、通信部６９は、体重センシングユニット６０及びオムツ状態センシングユニット６３によって測定された赤ちゃんに対する複数の信号に基づいて判断された赤ちゃんの体重を判断するか、赤ちゃんのオムツの状態についての情報を電子装置に送信することもできる。
【０２１６】
一方、保存部６８は、体重センシングユニット６０及びオムツ状態センシングユニット６３によって測定された複数の信号を保存することができる。
【０２１７】
一方、プロセッサ６７は、赤ちゃん及びオムツに関する複数の情報を測定するために、体重センシングユニット６０及びオムツ状態センシングユニット６３を制御することができる。一方、プロセッサ６７は、測定された複数の信号を外部機器８０に送信するように通信部６９を制御することができる。
【０２１８】
一方、プロセッサ６７は、体重センシングユニット６０及びオムツ状態センシングユニット６３によって測定された複数の生体信号を保存するように保存部６８を制御することができる。
【０２１９】
一方、プロセッサ６７は、測定された複数の信号を用いて赤ちゃんの体重を判断するか、オムツの状態を判断することができる。
【０２２０】
図２５は、本発明の一実施形態による外部機器の構成を示すブロック図であり、図２６は、センシング部によって感知された赤ちゃんの状態をスマートフォンのディスプレイ部に表示した例を示す図面である。
【０２２１】
図２５を参照すれば、ユーザの外部機器８０は、通信部８３、保存部８５、スピーカー５７、ディスプレイ５９及びプロセッサ８１を含みうる。
【０２２２】
ユーザの外部機器８０は、センシング部６０から赤ちゃんの体重及びオムツに対する複数の信号を受信して、赤ちゃんの体重を判断するか、赤ちゃんのオムツの状態を判断することができる。この際、ユーザの外部機器８０は、スマートフォン、タブレットＰＣ、ＰＭＰ、ＰＤＡ、及びスマートウォッチなどのユーザが携帯可能なディスプレイ装置であり、スマートＴＶなどのユーザが携帯することができないディスプレイ装置あるいはＬＥＤ光の変化で報知を与えることができるランプなどであり得る。
【０２２３】
一方、通信部８３は、センシング部６０とユーザの外部機器８０とを連結するために近距離通信網（ＬＡＮ：Ｌｏｃａｌ  Ａｒｅａ  Ｎｅｔｗｏｒｋ）及びインターネット網を通じて外部装置に接続される形態だけではなく、無線通信（例えば、ＧＳＭ（登録商標）、ＵＭＴＳ、ＬＴＥ、ＷｉＢＲＯ、ＷｉＦｉ、ブルートゥースなどの無線通信）方式を利用できる。
【０２２４】
具体的に、通信部８３は、センシング部６０によって測定された赤ちゃんの体重に対する信号と赤ちゃんのオムツ状態に対する信号とを受信することができる。
【０２２５】
一方、プロセッサ８１は、通信部８３が受信した圧力信号を用いて赤ちゃんの体重を判断することができる。具体的に、プロセッサ８１は、受信された圧力信号に基づいてファジー（Ｆｕｓｓｙ）アルゴリズムを用いて赤ちゃんの体重を出力することができる。これにより、家庭で容易に赤ちゃんの体重を測定することができる利点がある。
【０２２６】
体重推定及びオムツ状態把握アルゴリズムは、外部機器のプロセッサ８１で可能であると説明したが、これに限定せず、体重推定及びオムツ状態把握アルゴリズムは、ベビーキャリア１に含まれたセンシング部６０のプロセッサ６７でも処理されうる。
【０２２７】
ディスプレイ８９は、測定された赤ちゃんの体重についての情報をディスプレイすることができる。
【０２２８】
一方、プロセッサ８１は、通信部８３が受信した複数の信号を用いて赤ちゃんのオムツの状態を判断することができる。具体的に、プロセッサ８１は、受信されたオムツ状態に関する複数の信号に基づいて赤ちゃんのオムツの状態を天気として表現することができる。オムツの状態によって、太陽状態、雨状態、雲状態及び稲光状態のうち１つであると判断することができる。
【０２２９】
センシング部６０のプロセッサ６７または外部機器８０のプロセッサ８１によって判断された赤ちゃんのオムツの状態についての情報をユーザの外部機器８０に表示することができる。
【０２３０】
スピーカー８７は、音の報知を提供することができる。
【０２３１】
ディスプレイ８９は、赤ちゃんのオムツの状態についての情報をディスプレイすることができる。具体的に、図２６Ａを参照すれば、オムツがまだきれいな状態で交替が必要ではない状態である場合、日が出た状態でディスプレイする。図２６Ｂを参照すれば、オムツの湿度が少し上がった状態で小便を少量でしたと疑うことができる。このようなオムツ状態を雲状態にディスプレイする。図２６Ｃを参照すれば、赤ちゃんのオムツの雨が降る状態を示すことである。赤ちゃんのオムツに湿度がより高く測定された場合、雨が降る天気でディスプレイされうる。図２６Ｄを参照すれば、赤ちゃんのオムツの稲光状態を示す。オムツに大便や多量の小便などの排便がある場合を表示する。この場合、スピーカー８７を通じた音の報知を共に提供することができる。
【０２３２】
以上、本発明は、例示的な方法で説明された。ここで使われた用語は、説明のためのものであり、限定の意味として理解されてはならない。前記の内容によって、本発明の多様な修正及び変形が可能である。したがって、別途に付加言及しない限り、本発明は、特許請求の範囲の範疇内で自在に実施可能である。
【符号の説明】
【０２３３】
１００  荷重調節ユニット
【図１】
2019111171.tif 000003
【図２Ａ】
2019111171.tif 000004
【図２Ｂ】
2019111171.tif 000005
【図３Ａ】
2019111171.tif 000006
【図３Ｂ】
2019111171.tif 000007
【図４】
2019111171.tif 000008
【図５】
2019111171.tif 000009
【図６】
2019111171.tif 000010
【図７Ａ】
2019111171.tif 000011
【図７Ｂ】
2019111171.tif 000012
【図７Ｃ】
2019111171.tif 000013
【図８】
2019111171.tif 000014
【図９Ａ】
2019111171.tif 000015
【図９Ｂ】
2019111171.tif 000016
【図９Ｃ】
2019111171.tif 000017
【図１０】
2019111171.tif 000018
【図１１Ａ】
2019111171.tif 000019
【図１１Ｂ】
2019111171.tif 000020
【図１１Ｃ】
2019111171.tif 000021
【図１２】
2019111171.tif 000022
【図１３Ａ】
2019111171.tif 000023
【図１３Ｂ】
2019111171.tif 000024
【図１３Ｃ】
2019111171.tif 000025
【図１４】
2019111171.tif 000026
【図１５Ａ】
2019111171.tif 000027
【図１５Ｂ】
2019111171.tif 000028
【図１５Ｃ】
2019111171.tif 000029
【図１６】
2019111171.tif 000030
【図１７Ａ】
2019111171.tif 000031
【図１７Ｂ】
2019111171.tif 000032
【図１７Ｃ】
2019111171.tif 000033
【図１８】
2019111171.tif 000034
【図１９】
2019111171.tif 000035
【図２０Ａ】
2019111171.tif 000036
【図２０Ｂ】
2019111171.tif 000037
【図２０Ｃ】
2019111171.tif 000038
【図２１】
2019111171.tif 000039
【図２２】
2019111171.tif 000040
【図２３】
2019111171.tif 000041
【図２４】
2019111171.tif 000042
【図２５】
2019111171.tif 000043
【図２６Ａ】
2019111171.tif 000044
【図２６Ｂ】
2019111171.tif 000045
【図２６Ｃ】
2019111171.tif 000046
【図２６Ｄ】
2019111171.tif 000047